(57)【特許請求の範囲】
【請求項１】
回転子に設けられ、磁束の流れやすい方向であるｄ軸および磁束の流れにくい方向であるｑ軸が略９０度となる２極の磁極突起を形成する少なくとも一対の非磁性体の導電性材料が充填されたスリット部と、前記スリット部の外周側で円周方向に略等間隔で放射状に配置されて前記スリット部のｄ軸方向の少なくとも一端に連結され、非磁性体の導電性材料が充填されて誘導トルクを発生させる複数のスロット部と、を備え、前記スリット部及び前記スロット部のうち、前記ｑ軸方向のスロット部と、このスロット部と接続するスリット部を打ち抜いた後に中心側に突出する突出部がなくなるようにまとめて１つのスリットスロット部としたことを特徴とする同期誘導電動機。
【請求項２】
前記スリット部を略直線状としたことを特徴とする請求項１に記載の同期誘導電動機。
【請求項３】
前記スリット部を前記ｄ軸に対して略平行となるように配置したことを特徴とする請求項１または請求項２に記載の同期誘導電動機。
【請求項４】
前記ｑ軸方向の磁性体と非磁性体との比率を所定の比率に設定したことを特徴とする請求項１乃至請求項３のいずれかに記載の同期誘導電動機。
【請求項５】
前記スリット部と前記スロット部を分離したことを特徴とする請求項１乃至請求項４のいずれかに記載の同期誘導電動機。
【請求項６】
前記回転子の軸方向両端部に設けられるエンドリングを前記スリット部及び前記スロット部内に充填される導電性材料と一体にダイカストにより成形したことを特徴とする請求項１乃至請求項５のいずれかに記載の同期誘導電動機。
【請求項７】
前記回転子に設けられ、前記回転子の回転力を伝達するシャフトを備え、前記シャフトを非磁性体で構成したことを特徴とする請求項１乃至請求項６のいずれかに記載の同期誘導電動機。
【請求項８】
前記回転子の軸方向両端部に非磁性体で構成されたエンドリングを備え、前記エンドリングに前記シャフトを一体に成形したことを特徴とする請求項７に記載の同期誘導電動機。
【請求項９】
請求項１乃至請求項８のいずれかに記載の同期誘導電動機を備えたことを特徴とする圧縮機。
【請求項１０】
誘導トルクを発生させるスロット部と略直線状でｑ軸方向に隣接配置されてリラクタンストルクを発生させるスリット部とを接続して構成された複数のスリットスロットのうち隣接したスリットスロット間の幅の部分に応力が集中して強度が弱くなり断面形状が変形しないように隣接しないスリットスロットを打ち抜く非隣接スリット打ち抜きステップと、前記非隣接スリットスロット打ち抜きステップにて打ち抜かれた非隣接スリットスロット間に存在するスリットスロットを打ち抜く隣接スリットスロット打ち抜きステップと、回転子鉄心の外径を打ち抜く回転子外径打ち抜きステップと、によって打ち抜かれる回転子鉄心を備えたことを特徴とする同期誘導電動機の製造方法。
【発明の詳細な説明】
【０００１】
【発明の属する技術分野】
この発明は、誘導トルクを用いることによって起動し、リラクタンストルクを用いることによって同期運転する同期誘導電動機およびその製造方法に関するものである。
【０００２】
【従来の技術】
図１６は、例えば特開平１０−１２７０２３号公報に記載された従来の電動機の断面図であり、図において、１１は回転子、１３はスリットである。また、２０は固定子である。
【０００３】
図において、回転子１１には、直線形状の多数のスリット１３が設けられているため、磁束の流れやすい方向であるｄ軸と、磁束の流れにくい方向であるｑ軸が９０度ずれて配置されて２極の磁極突起を有する構造をなしている。ここで、スリット１３内には導電性部材（二次導体）を有しておらず空気層となっている。
【０００４】
また、図１７は、例えば特開２００１−７３９４８号公報に記載された従来の圧縮機に搭載された同期電動機の回転子の断面図であり、図において、１０５は回転子、３０１および３０４はアルミが充填されたスロット、３００ａおよび３００ｂは永久磁石である。また、図において、永久磁石３００ａ、３００ｂを回転子１０５の周方向にＳ極、Ｓ極、Ｎ極、Ｎ極と配置することにより、２極の回転子を構成している。
【０００５】
【発明が解決しようとする課題】
従来の電動機は、以上のように構成されているので、以下のような問題点があった。図１６に示した電動機では、スリット１３内には導電性部材が充填されていないため、回転子１１はかご形二次導体を有しない構造となっている。そのため、電動機を起動させるためには、回転子１１の位置に応じた磁界を固定子２０で生成する必要があり、回転子位置検出手段や駆動回路を用いる必要が生じる。したがって、回転子位置検出手段を設けると、電動機のコストがＵＰし、また、電動機も大きくなっていた。また、駆動回路を用いるためには、電動機を駆動させるシステムが大掛かりなものとなってしまい、また、高価な制御装置が必要になり、コストＵＰにつながってしまっていた。
【０００６】
また、回転子位置を精度良く検出しなければ、安定して同期運転させることができないため、さらにコストアップにつながってしまうという問題点があった。また、図１７にて説明した従来の圧縮機に搭載された同期電動機は、スロット３０１および３０４にアルミが充填されており、回転子１０５はかご形二次導体を有しており、容易に電動機を起動させることができるが、高コストの永久磁石３００ａや３００ｂを用いて同期運転を行っているため、電動機や圧縮機のコストが高くなるという問題点があった。また、同期電動機を解体する際、回転子１０５に永久磁石３００ａ、３００ｂを有しているため、解体時に永久磁石が解体装置に引っ付き、解体が困難になるという問題点もあった。
【０００７】
この発明は、安価で容易に起動できる同期誘導電動機や同期誘導電動機の製造装置および製造方法を得ることを目的とする。また、信頼性の高い同期電動機や同期誘導電動機の製造装置および製造方法を得ることを目的とする。また、解体が容易でリサイクル性の高い同期誘導電動機や同期誘導電動機の製造装置および製造方法を提供することを目的とする。
【０００８】
【課題を解決するための手段】
本発明の請求項１に係る同期誘導電動機は、回転子に設けられ、磁束の流れやすい方向であるｄ軸および磁束の流れにくい方向であるｑ軸が略９０度となる２極の磁極突起を形成する少なくとも一対の非磁性体の導電性材料が充填されたスリット部と、スリット部の外周側で円周方向に略等間隔で放射状に配置されてスリット部のｄ軸方向の少なくとも一端に連結され、非磁性体の導電性材料が充填されて誘導トルクを発生させる複数のスロット部と、を備え、前記スリット部及び前記スロット部のうち、前記ｑ軸方向のスロット部と、このスロット部と接続するスリット部を打ち抜いた後に中心側に突出する突出部がなくなるようにまとめて１つのスリットスロット部としたものである。
【０００９】
また、本発明の請求項２に係る同期誘導電動機は、スリット部を略直線状としたものである。
【００１０】
また、本発明の請求項３に係る同期誘導電動機は、スリット部をｄ軸に対して略平行となるように配置したものである。
【００１１】
また、本発明の請求項４に係る同期誘導電動機は、前記ｑ軸方向の磁性体と非磁性体との比率を所定の比率に設定したものである。
【００１２】
また、本発明の請求項５に係る同期誘導電動機は、スリット部とスロット部を分離したものである。
【００１３】
また、本発明の請求項６に係る同期誘導電動機は、回転子の軸方向両端部に設けられるエンドリングをスリット部及びスロット部内に充填される導電性材料と一体にダイカストにより成形したものである。
【００１４】
また、本発明の請求項７に係る同期誘導電動機は、回転子に設けられ、回転子の回転力を伝達するシャフトを備え、シャフトを非磁性体で構成したものである。
【００１５】
また、本発明の請求項８に係る同期誘導電動機は、回転子の軸方向両端部に非磁性体で構成されたエンドリングを備え、エンドリングにシャフトを一体に成形したものである。
【００１６】
また、本発明の請求項９に係る圧縮機は、請求項１乃至請求項８のいずれかに記載の同期誘導電動機を備えたものである。
【００１７】
また、本発明の請求項１０に係る同期誘導電動機の製造方法は、誘導トルクを発生させるスロット部と略直線状でｑ軸方向に隣接配置されてリラクタンストルクを発生させるスリット部とを接続して構成された複数のスリットスロットのうち隣接したスリットスロット間の幅の部分に応力が集中して強度が弱くなり断面形状が変形しないように隣接しないスリットスロットを打ち抜く非隣接スリット打ち抜きステップと、前記非隣接スリットスロット打ち抜きステップにて打ち抜かれた非隣接スリットスロット間に存在するスリットスロットを打ち抜く隣接スリットスロット打ち抜きステップと、回転子鉄心の外径を打ち抜く回転子外径打ち抜きステップと、によって打ち抜かれる回転子鉄心を備えたものである。
【００１８】
【発明の実施の形態】
実施の形態１．
以下、本発明の実施の形態１について図を用いて説明する。図１は本発明の実施の形態１を表す同期誘導電動機の横断面図である。また、図２は本発明の実施の形態１を表す回転子の断面図である。また、図３は本発明の実施の形態１を表す同期誘導電動機の回転子の斜視図である。図１において、１は磁性部である電磁鋼板により構成された固定子鉄心であり、複数枚積層されることにより固定子を構成する。
【００１９】
また、２は固定子鉄心１のスロット１ａ内部に施された巻線、３は磁性部である電磁鋼板により構成された回転子鉄心であり、積層されて回転子３０を構成する。また、４は内部に導電性部材であるアルミ材が充填された一対のスリットスロットであり、スリット部（４ａ、４０ａなど）とスロット部（４ｂ、４ｃ、４０ｂ、４０ｃなど）により構成されている。また、５は回転子鉄心３の中心部に設けられたシャフト穴５ａに圧入や焼きばめなどにより回転子３０に固着されているシャフトである。
【００２０】
また、図２において、スリットスロット４の複数のスロット部４ｂ、４ｃ、４０ｂ、４０ｃ、４１などは、回転子鉄心３の中心に対して放射状に略均等に配置されており、誘導トルクを発生させる。ここで、スリットスロット４のスリット部４ａ、４０ａは、磁束の流れやすい方向であるｄ軸と磁束の流れにくい方向であるｑ軸が得られるように、放射状に配置されたスロット部４ｂ間をｄ軸に対して略平行になるように直線状に連続的に接続されており、ｄ軸とｑ軸が回転子の略中心を通って直交するようにスリット部４ａが設けられて２極の磁極突起が形成される構造をなしている。すなわち、スリット部の長手方向（ｄ軸の方向）の両端部にスロット部が連結接続されている。
【００２１】
ここで、スリットスロット４にはスリット部４ａ、４０ａが設けられており、スリット部４ａとスリット部４０ａは回転子鉄心３の略中心を通るｄ軸を挟んで略同等距離に直線状に配置されており、略平行になるように対をなして設けられている。ここで、図において、磁束の流れやすい方向をｄ軸、流れにくい方向をｑ軸としており、ｑ軸方向のスロット部４ｃ、４ｃはｑ軸に略平行に設けられたスリット部３ｄにより接続されており、スロット部４ｃ、４ｃとスリット部４ｄとは「Ｕ」字形状をしている。
【００２２】
そのため、回転子鉄心３が打抜かれた後のｑ軸方向のスロット部４ｃ、４ｃとスリット部４ｄの部分は、回転子鉄心３が中心方向に突出した突出部３ｃが形成されている（同様にｑ軸方向のスロット部４０ｃ、４０ｃとスリット部４０ｄの部分は、回転子鉄心３が中心方向に突出した突出部３ｃが形成されている。）。
【００２３】
また、図３において、３０は回転子であり、積層された回転子鉄心３の両端部に導電性部材であるアルミ材のエンドリング６がアルミダイカストにより設けられている。回転子３０のスリットスロット４のスロット部４ｂ内部に充填されたアルミ材と積層された回転子鉄心３の両端部に設けられたエンドリング６によってかご形の二次導体が形成され、二次導体に電流が流れることにより誘導トルクを発生して電動機を起動させることができる。
【００２４】
すなわち、スロット部にはアルミ材などの非磁性体で導電性の部材が充填されており、起動時や非同期時に誘導トルクを発生させるための二次電流が流れる。スリット部には、スロット部と同じようにアルミ材などの非磁性体で導電性の部材が充填されている。本実施の形態では、スロット部とスリット部が繋がって一体で打ち抜かれてスリットスロット部を形成している。
【００２５】
回転子３０のスリットスロット４に充填されたアルミ材は非磁性体であり、また、スリットスロット４に方向性（磁束の流れやすい方向（ｄ軸）と流れにくい方向（ｑ軸）が機械角で９０度ずれて設けられている）を有するように設けているため、固定子１で生成された磁束は回転子の位置によって２極の磁極突起を有している。
【００２６】
本実施の形態では、ｄ軸とｑ軸を機械角で９０度ずれた位置に配置して、２極の同期誘導電動機を構成している。ここで、スロット部４ｂ、４０ｂを設けているので、固定子１の巻線２に５０Ｈｚおよび６０Ｈｚの商用電源と接続して同期誘導電動機を運転させた場合でも、特別な起動装置を必要とせずに起動でき、低コストな電動機を得ることができる。しかも、スリット部４ａ、４０ａを設けて２極の磁極突起を有するようにしているので、同期運転が行なえるため、運転時の回転数は、誘導電動機のようにすべりが存在せず同期回転数である３０００（ｒｐｍ）および３６００（ｒｐｍ）まで回転数を拡大することができる。
【００２７】
また、極数を２極にしているので、極数が４極の場合に比べて回転数を大きくすることができる。すなわち、４極構造の場合では、５０Ｈｚおよび６０Ｈｚの商用電源の場合、同期運転させても回転数が２極の半分である１５００（ｒｐｍ）および１８００（ｒｐｍ）までしか運転させることができないが、本実施の形態では２極構造にしているので、３０００（ｒｐｍ）および３６００（ｒｐｍ）まで運転させることができ、電動機の回転数を大きく、高出力の電動機を得ることができる。
【００２８】
また、本実施の形態の同期誘導電動機の回転子構造は、従来の誘導電動機と同様にアルミダイカストにて製造できるため、本発明の同期誘導電動機を製造する場合においても、従来の誘導電動機に対してコストアップを伴わない。
【００２９】
また、回転子３の外周部に設けられたスロット部４ｂ、４０ｂを放射状に略等間隔に配置しているので、誘導トルクをより大きくすることができ、電動機を安定して起動させて同期運転に到達させることができ、信頼性の高い同期誘導電動機を得ることができる。
【００３０】
以上のように、外周側に配置され、誘導トルクを発生させる複数のスロットと、磁束の流れやすい方向であるｄ軸および磁束の流れにくい方向であるｑ軸が存在するように複数のスロット間を接続する一対のスリットと、を有し、スロット内およびスリット内に導電性材料であるアルミ材を充填して２極の磁極突起を形成した回転子を備えたので、特別な起動装置を必要とせずに起動でき、低コストな同期電動機を得ることができる。しかも、２極の磁極突起を有するようにしているので、同期運転が行なえ、運転時の回転数は、誘導電動機のようにすべりが存在せず同期回転数で運転させることができる。
【００３１】
また、対をなすスリットを略直線状としているので、磁束が通りやすくなり、高効率な電動機を得ることができる。また、対をなすスリットを磁束が通りやすい方向であるｄ軸に対して略平行となるように配置しているので、磁束が通りやすくなり、電動機の温度上昇を抑制することができ、巻き線焼損などの発生しない信頼性の高い電動機が得られる。
【００３２】
また、図４および図５は、本実施の形態１を表す同期誘導電動機の別の回転子の断面図であり、図１乃至図３と同等部分は同一の符号を付して説明は省略する。図において、図２にて示したｑ軸方向のスロット部４ｃ、４ｃと、このスロット部を接続するスリット部４ｄ（スロット部４０ｃ、４０ｃと、このスロット部を接続するスリット部４０ｄ）をまとめて１つのスリットスロット部４ｅ（４０ｅ）としたものである。
【００３３】
このようにすると、ｑ軸方向のスロット部４ｃ、４ｃとスリット部４ｄ（スロット部４０ｃ、４０ｃとスリット部４０ｄ）を１つのスロット部として打抜くことができるので、打抜き用の刃部の構造が簡単になり、打抜き装置が低コストで得られる。また、図２の場合であれば、スロット部４ｃ、４ｃとスリット部４ｄとが「Ｕ」の字状をしているため、打抜いた後に中心側へ突出する突出部３ｃがねじれたりして回転子鉄心３の打抜き精度が悪くなる恐れがあるが、図４のようにｑ軸方向のスロット部４ｃ、４ｃとスリット部４ｄ（スロット部４０ｃ、４０ｃとスリット部４０ｄ）を１つのスロット部としてまとめれば、突出部３ｃがなくなるので、回転子鉄心３の打抜き精度も向上できる。
【００３４】
また、図２、図４の同期誘導電動機の回転子３０はスロット部が放射状に略均等に配置されているので、誘導電動機と同様に電動機の起動をより安定して行うことが可能になる。また、図４に示したようにｑ軸方向のスロット部とスリット部をまとめて１つのスロットとしているので、電動機が起動した後の同期運転への引込特性が向上し、安定して同期回転数で運転させることができ、高効率な電動機を得ることができる。また、同期運転への引込性能が向上することにより、非同期運転時のトルクによる振動および騒音を抑制することができる。
【００３５】
また、図６、図７は、本実施の形態を表す別の回転子の断面図である。図において、図２、図４、図５と同等部分は同一の符号を付して説明は省略する。図６、図７に示した回転子は、図２に示したｄ軸方向のスロット部４１を無くし、さらに、ｄ軸と略平行に一対設けられたスリットスロットのうち、一番内側に設けられたスリットスロット部４のスロット部４ｂ、４０ｂの内側を、直線状に略平行に配置されている一対のスリット部４ａ、４０ａの延長線上よりも内側に突出するようにしてｄ軸方向に磁束が通りやすくしてｄ軸方向の磁気抵抗を少なくしている。
【００３６】
すなわち、ｄ軸に対して平行な直線が回転子鉄心３のシャフト用貫通穴５ａにぶつかる部分の範囲内にはスロット部を設けないように（図２、図４、図５で示したスロット部４１を設けないようにしている）して、ｄ軸方向に磁束が通りやすくしてｄ軸方向の磁気抵抗を少なくしている。また、ｄ軸に対して平行な直線が回転子鉄心３のシャフト用貫通穴５ａにぶつかる部分の範囲内にはスリット部も設けないようにして、しかも、最も内側のスリットスロット４のスロット部４ｂ、４０ｂはスリット部４ａ、４０ａよりもシャフト用の貫通穴５ａの方向に突出しないようにして、ｄ軸方向に磁束が通りやすくしてｄ軸方向の磁気抵抗を少なくしている。
【００３７】
同期電動機は、ｑ軸側からみた固定子巻線のインダクタンスＬｑとｄ軸側からみた固定子巻線のインダクタンスＬｄとの差が大きい程大きなリラクタンストルクを発生させることができるため、本実施の形態のように、ｄ軸方向のスロット部４１を無くし、さらに一番内側に設けられた２つのスリットスロット部４のスロット部がスリット部の内側に突出しないようにしてｄ軸方向の磁気抵抗を小さくすれば、大きなリラクタンストルクを発生させることができ、高出力な同期誘導電動機を得ることができる。ここで、この場合でも、ｄ軸方向のスロット部４１を無くしているが、残りのスロット部は放射状に配置されており、別途起動装置などは不要であり、起動性能も問題ない低コストで信頼性の高い同期誘導電動機を得ることができる。
【００３８】
また、図８は本実施の形態を表す別の回転子の断面図である。図において、図２および図４乃至図７と同等部分は同一の符号を付して説明は省略する。図８に示した回転子は、図７に示した回転子のｄ軸と略平行に一対設けられたスリットスロットのうち、一番内側に設けられたスリットスロット部４のスロット部４ｂ、４０ｂに相当する部分をなくしてスリット部４ａ、４０ａを直線状にスロット部４ｂ、４０ｂの位置まで延長したものである。
【００３９】
このようにすると、一番内側に設けられたスリットスロット部４のスロット部に相当する部分が無いので、充填するアルミ材が少なくて良く、低コストな電動機が得られる。また、スリットスロットの形状が簡単になるので、打抜き型が簡略化され、コストが低減できる。また、固定子で生成された磁束の流れをより改善することができ、電動機を高効率に運転させることができる。特にシャフト５に最も近接したスリットスロット部４の形状をｄ軸と略平行にすることにより、より磁束の流れを改善することができ、高効率な電動機を得ることができる。よって、電動機の損失による温度上昇を低減させることができ、電動機の効率が向上する。この場合も、残りのスロット部は放射状に配置されており、別途起動装置などは不要であり、起動性能は問題ない。
【００４０】
ここで、スリットスロット部をスリット部（４ａ、４ｄ、４０ａ、４０ｄなど）とスロット部（４ｂ、４ｃ、４０ｃ、４０ｄなど）を分離させても良い。図９は本実施の形態を表す別の回転子の断面図である。図において、図２および図４乃至図８と同等部分は同一の符号を付して説明は省略する。図９に示した回転子は、図２に示したスリットスロット部のスリット部（４ａ、４ｄ、４０ａ、４０ｄなど）とスロット部（４ｂ、４ｃ、４０ｃ、４０ｄなど）とを分離させたものである。
【００４１】
図において、４ａ、４ｄ、４０ａ、４０ｄはスリット部であり、磁束の流れやすい方向であるｄ軸と磁束の流れにくい方向であるｑ軸が得られるように配置されており、リラクタンストルクを発生させる。また、４ｂ、４ｃ、４０ｂ、４０ｄ、４１はスロット部であり、回転子鉄心３の中心に対して放射状に略均等に配置されており、誘導トルクを発生させる。
【００４２】
そして、スリット４ａはスロット４ｂと分離され、スリット４０ａはスロット４０ｂと分離されている。また、スリット４ｄはスロット４ｃと分離され、スリット４０ｄはスロット４０ｃと分離されている。
【００４３】
このように、スリット部とスロット部を分離すると、スリット部とスロット部に別々の部材を充填することができるようになる。たとえば、スロット部にダイカスト法などによりアルミ材を充填し、スリット部には別の部材、たとえば銅などをダイカスト法などにより充填することができる。この場合、スリット部にはスロット部の充填部材が入らないようにカバーをしてからスロット部に別の充填部材を充填すればスリット部とスロット部の充填部材を分離することができる。
【００４４】
このように、スリット部とスロット部を分離したので、スリット部とスロット部に別々の充填部材を充填できるため、充填部材の選択の自由度が広がり、コスト低減が行なえ、さらに、電動機の特性上の自由度も増すことができる。
【００４５】
ここで、スリット部に充填する部材は必ずしも導電性の部材でなくてもよい。スロット部に導電性部材を充填し、スリット部に透磁率の低い部材を充填するようにしてもよい。スリット部に透磁率の低いマグネットなどを挿入しても同様の効果が得られる。この場合、予め、マグネットを挿入できるようにマグネットの大きさ分だけ充填部材にすきまを空けておき、そこにマグネットを挿入するようにすればよい。このとき、スリット部とマグネットの対向する位置に凹部とこの凹部に嵌合する凸部などの嵌合部を設けてマグネットとスリットが嵌合するように挿入すれば、マグネットの挿入位置決めが容易になり、またマグネットの固定も確実に行なえる。
【００４６】
ここで、かご形二次導体を形成する方法としては、スリットスロット部４の形状に加工されたアルミバーをそれぞれのスリットスロット部４に挿入した後に、加工したエンドリングをスリットスロット部４に挿入されたアルミバーに溶接すればよい。ただし、アルミバーを複雑なスリット形状に加工する必要があるため、若干のコストアップにはなる。
【００４７】
かご形二次導体を形成する別の方法として、スリットスロット内部のアルミ材をアルミダイカストによりエンドリングと一体に設ける方法がある。この方法で回転子３０を製造すれば、スリットスロット４の内部に充填させるアルミ材と回転子３０の両端に設けられるエンドリング６をダイカスト法により一体成形で構成することができるので、製造面での能率が向上し、製造時間が短縮できる。
【００４８】
また、溶接によりエンドリングとスリットスロット部４内のアルミ材を固着すると、溶接の仕方や溶接個所などによっては回転子鉄心３とかご形二次導体との一体性が弱くなり、遠心力に対する強度が確保できずに、運転時に回転子３０が破壊する可能性もある。しかし、アルミダイカストによりエンドリングとスリットスロット部４内のアルミ材を行ったに成形すれば、回転子鉄心３とかご形二次導体（アルミ材）が一体化されるので、構造面で強度が向上し、信頼性の優れた電動機を得ることができる。
【００４９】
以上のように、本実施の形態では、回転子の軸方向両端部に設けられるエンドリングをスリット及びスロット内に充填される導電性材料であるアルミ材と一体にアルミダイカストにより成形した回転子を備えたので、溶接によりエンドリングとスリットスロット部４内のアルミ材を固着する場合に比べて、構造面で強度が向上し、信頼性の優れた電動機を得ることができる。
【００５０】
また、本発明の同期誘導電動機は従来の同期電動機のように永久磁石を用いていないため、解体時に永久磁石が解体装置に引っ付くことがないので、電動機を容易に解体することができ、リサイクル性の良い電動機を得ることができる。
【００５１】
なお、本実施の形態では一対のスリット部の本数を４本の場合で説明したが、別に４本でなくても同様の効果が得られる。また、導電性材質としてアルミ材について説明したが、銅、銅合金、真鍮、ステンレス鋼材などのその他の材質を用いても同様の効果を得ることができる。例えば、材質として銅を用いた場合、銅はアルミ材より抵抗率が低いため、かご形二次導体の抵抗が低くなり、起動から同期引込までの特性を改善させることができる。
【００５２】
また、本実施の形態では、電動機を２極で構成しているため、４極の場合よりも回転数を２倍にすることができるので、圧縮機に搭載すれば高出力な圧縮機を得ることができる。また、誘導電動機を使用した場合に比べて、すべりが発生しないため、回転数を大きくでき、高出力な電動機や圧縮機を得ることができる。また、磁石を有しない同期電動機を使用した場合に比べて、大掛かりな起動装置が必要ないので、低コストな電動機や圧縮機が得られる。また、磁石を有する同期電動機を使用した場合に比べて、磁石が不要なため低コストであり、また、解体時に磁石が解体装置などに引っ付くこともなくリサイクル性に優れた電動機や圧縮機を得ることができる。
【００５３】
また、本実施の形態の同期誘導電動機は、起動から同期回転数への引込みまでの時間を短くでき性能が良好であるため、低振動・低騒音な同期誘導電動機を得ることができ、この同期誘導電動機を搭載すれば、低振動・低騒音な圧縮機を得ることができる。また、本実施の形態の電動機やこの電動機を搭載した圧縮機は低振動であるため、冷凍・空調装置に適用した場合には、配管振動による配管亀裂などの発生しない信頼性の高い冷凍・空調装置を得ることができる。また、本実施の形態の電動機やこの電動機を搭載した圧縮機は低振動・低騒音であるため、冷凍・空調装置に適用した場合には、防振装置や防音装置が不要となり、低コストで信頼性の高い冷凍・空調装置が得られる。
【００５４】
実施の形態２．
図１０は本発明の実施の形態２を表す同期誘導電動機の回転子の断面図である。図において、実施の形態１と同等部分は同一の符号を付して説明は省略する。本実施の形態では、実施の形態１で説明した回転子のシャフトに非磁性体を使用するものである。
【００５５】
図において、３は回転子鉄心であり、磁性体である電磁鋼板が使用され、積層されて回転子３を構成する。４、４２は非磁性体で導電性部材であるアルミ材などが充填されたスリットスロットであり、４ａ、４２ａはスリット部、４ｂ、４２ｂはスロット部である。Ｌはスリット部４ａとスリット部４２ａとの間の磁性体である回転子鉄心３の幅であり、Ｍはシャフト５とスリット４ａとの間の磁性体である回転子鉄心３の幅である。ここで、スリット部４ａや４２ａは実施の形態１で説明したように直線状でなくてもよく、シャフト５０を中心にしてシャフト５０を挟みこむようにｄ軸方向に開口した丸みを帯びた形状をしている。
【００５６】
５０はシャフトであり、非磁性体であるアルミ材やステンレス鋼などが使用されている。実施の形態１で説明した回転子のシャフト５は、鉄などの磁性体であり、シャフト用貫通穴５ａに焼きばめや圧入などにより固着されている。したがって、シャフト５の部分にはスリット部を設けることができないため、ｑ軸側からみた場合の磁性体と非磁性体の比率は、シャフト５の分だけ磁性体の比率がかなり大きくなり、電動機の効率を良い状態で使用していない場合があった。この磁性体と非磁性体の比率は、極数などによって効率のよくなる所定の比率にする方が望ましく、解析や実験などにより電動機入力などが小さくなるように選定した方がよい。
【００５７】
ここで、本実施の形態では、電動機効率の良くなる磁性体と非磁性体の比率を実験により求めた所、この所定の比率は磁性体：非磁性体＝１：１（磁性体と非磁性体との比率が略同等）にした方が良いことが分かったので、できるだけ磁性体：非磁性体＝１：１に近づけるようにシャフト５０を非磁性体で構成するようにしてシャフト５０以外の部分の磁性体の部分が大きくとれるようにしている。シャフト５に鉄などの磁性体を使用している場合には、磁性体と非磁性体の比率を略同等にするためには、シャフト５が磁性体のためシャフト５以外の磁性体の部分を少なくして、逆に非磁性体の部分（スリット部４）を大きくしなければならない。
【００５８】
そのためには、図１１のように幅Ｌと幅Ｍを小さくする必要がある。図１１は磁性体と非磁性体の幅について説明するための回転子の断面図である。図において、実施の形態１と同等部分は同一の符号を付して説明は省略する。図において、３は回転子鉄心であり、磁性体である電磁鋼板が使用され、積層されて回転子３を構成する。４、４２は非磁性体で導電性部材であるアルミ材などが充填されたスリットスロットであり、４ａ、４２ａはスリット部、４ｂ、４２ｂはスロット部である。Ｌはスリット部４ａとスリット部４２ａとの間の磁性体である回転子鉄心３の幅であり、Ｍはシャフト５とスリット４ａとの間の磁性体である回転子鉄心３の幅である。
【００５９】
ここで、図１１では、スリット部４ａとスリット部４２ａとの間の磁性体である回転子鉄心３の幅Ｌやシャフト５とスリット部４ａとの間の磁性体である回転子鉄心３の幅Ｍは打ち抜きによる変形や回転子の強度を確保する必要があるため、それほど小さくできないので、ｑ軸方向の磁性体と非磁性体との比率も磁性体の方が大きくなってしまい、効率の良い状態で使用できていない可能性があった。
【００６０】
しかしながら、本実施の形態では、図１０に示したようにシャフト５０の非磁性体であるステンレス材などを使用するようにしているので、図１１の場合とは逆に、シャフト５０が非磁性体であるため、スリット部４ａとスリット部４２ａとの間の磁性体である回転子鉄心３の幅Ｌやシャフト５とスリット４ａとの間の磁性体である回転子鉄心３の幅Ｍを大きくして磁性体の比率を増やす必要が生じる。
【００６１】
したがって、本実施の形態のようにシャフト５０に非磁性体を使用すれば、図１０に示したように幅Ｌや幅Ｍを大きくすることができるので、打ち抜きによる回転子鉄心３の変形や回転子３０の強度も確保できる。また、シャフトを保持する部分の幅Ｍも大きくできるので、シャフトの保持強度も向上し、運転中にシャフト５０が回転子３０からはずれたりすることもなくなり信頼性が高く高効率な同期誘導電動機が得られる。
【００６２】
図１２は本発明の実施の形態２を表す回転子の斜視図、図１３は本発明の実施の形態２を表す回転子の断面図である。図において、実施の形態１と同等部分は同一の符号を付して説明は省略する。図１２において、３は回転子鉄心であり、軸方向に積層されて回転子３０を構成する。５５は積層された回転子鉄心３の軸方向両端部に設けられたエンドリングであり、アルミ材などの非磁性体がダイカストなどによりシャフト５５ａが一体に成形されている。また、図１３において、４、４２、４３、４４はそれぞれｄ軸に対して一対設けられたスリットスロットであり、実施の形態１で説明したようにスリット部とスロット部から構成されていて、ダイカストなどによりエンドリング５５と一体で成形されっる。。
【００６３】
非磁性体であるアルミ材やステンレス材などのシャフト５５ａをエンドリング５５と一体に成形しているので、回転子鉄心３にシャフト５５ａを設ける必要がなくなる。したがって、図１３に示したように回転子鉄心３にはシャフトはなく、従来シャフトがあった部分にもスリットスロット４３、４４を設けることができる。よって、ｑ軸方向の磁性体と非磁性体との比率を所定の比率（磁性体と非磁性体が同等の比率が望ましい）に設定することが可能になる。
【００６４】
すなわち、所定の比率を１：１にしたい場合は、ｑ軸方向の非磁性体部分であるスリットスロット４、４２、４３、４４、４ｅの幅と磁性体部分である回転子鉄心３のスリットスロット（４、４２、４３、４４、４ｅ）間の幅が同一になるように設定すればよい。このとき、回転子鉄心３のスリットスロット（４、４２、４３、４４、４ｅ）間の幅は打ち抜き時に変形せず、回転子の強度が得られる幅に設定すれば、信頼性が確保できるともに、高効率の同期誘導電動機が得られる。
【００６５】
以上のように、シャフト５５ａを非磁性体で構成しエンドリング５５と一体にダイカストなどにより成形すれば、回転子鉄心３にシャフト５５ａを設ける必要がなくなるので、従来シャフトがあった部分にもスリットスロット（４３、４４）を設けることができるため、磁束の流れにくい方向であるｑ軸方向の磁性体と非磁性体の比率を所定の比率に設定でき、高効率の電動機を得ることができる。また、回転子鉄心３にシャフト５５ａを設ける必要がなくなるので、従来シャフトがあった部分にもスリットスロット（４３、４４）を設けることができるため、スリットスロット間の幅も強度が得られる自由な幅に設定でき、信頼性の高い同期誘導電動機を得ることができる。
【００６６】
実施の形態３．
本発明の実施の形態３を図にて説明する。図１４は本発明の実施の形態３を表す同期誘導電動機の回転子の製造の様子を示す図であり、電磁鋼板を打ち抜き手段であるパンチ型により回転子の形状に打ち抜く際に、２つ以上スリットスロットが隣接する場合に隣接するスリットスロットが同時に打ち抜かれないように、スリットスロット部を数回に分けて打ち抜くようにして打ち抜き精度のよい回転子鉄心を得るようにしている。本実施の形態では、実施の形態１で説明した図７の形状の回転子鉄心３を順次打ち抜く様子を示している。
【００６７】
図１４において、８は打ち抜き手段であるパンチ型（図示せず）に順次通される電磁鋼板であり、回転子鉄心３が打ち抜き手段により順次打ち抜かれていく様子が示されている。図において、８ａ、８ｂ、８ｃ、８ｆはリラクタンストルクを発生させるためのスリット部と誘導トルクを発生させるためのスロット部を有するスリットスロットであり、ｄ軸方向に向かって幅方向が隣接して配置されている。８５はシャフト用貫通穴、８３は回転子鉄心３の外周部である。
【００６８】
図に示すように、まず〔Ａ〕にて、シャフト用貫通穴打ち抜き手段によりシャフト用貫通穴８５が打ち抜かれ、最外周スリットスロット打ち抜き手段により最外周のスリットスロット８ａが打ち抜かれる。このとき、シャフト用貫通穴８５と最外周のスリットスロット８ａを別々に打ち抜いてもよいが、同時に打ち抜いた方が効率がよく時間が短縮できる。
【００６９】
そして、〔Ｂ〕にて、３つ隣接するスリットスロット８ｂ、８ｃ、８ｆのうち、隣接したスリットスロットが同時に打ち抜かれないように非隣接スリットスロット打ち抜き手段によりスリットスロット８ｃを除いたスリットスロット８ｂとスリットスロット８ｆを同時に打ち抜くようにしている。もちろん、スリットスロット８ｂとスリットスロット８ｆは同時に打ち抜く必要はなく、別々に打ち抜いてもよい。
【００７０】
その後、〔Ｃ〕にてスリットスロット８ｂとスリットスロット８ｆの間でスリットスロット８ｂとスリットスロット８ｆに隣接するスリットスロット８ｃを隣接スリットスロット打ち抜き手段により打ち抜く。そして、最後に〔Ｄ〕にて、回転子鉄心外周部打ち抜き手段により回転子鉄心３の外周部８３を打ち抜いて、回転子鉄心３が完成する。そして、この回転子鉄心３を複数枚積層した後、複数のスリットスロットと積層された回転子鉄心の両端部に設けられるエンドリングとを非磁性体のアルミ材などによりダイカストにて一体に成形して回転子３０を完成させる。
【００７１】
回転子鉄心３を打ち抜く場合、ｑ軸方向に直線状部分を有するスリットスロットが複数隣接（８ｂ、８ｃ、８ｆは幅方向（ｄ軸方向）に隣接している。）している場合に、同時に打ち抜くとスリットスロット間の回転子鉄心３（電磁鋼板）の細い部分に応力が集中して強度が弱くなり、回転子鉄心３の打ちぬき精度が悪化する。本実施の形態では、隣接するスリットスロット部（８ｂ、８ｃ、８ｆは隣接している。）を同時に打ち抜かないで、スリットスロット８ｂとスリットスロット８ｆを先に打ち抜いた後にスリットスロット８ｂとスリットスロット８ｆの間でスリットスロット８ｂとスリットスロット８ｆに隣接するスリットスロット８ｃを打ち抜くようにしているので、スリットスロットを打ち抜いた後にできるスリットスロット間の細い幅の部分に応力集中が生じないため、回転子鉄心の打ち抜き精度が悪化せず、回転子鉄心の強度も確保される。
【００７２】
すなわち、スリットスロット部を複数有する回転子の場合、隣接するスリットスロットを同時に打ち抜くとスリットスロット部間に細い幅の部分ができ、この細い幅の部分に応力が集中して、スリットの断面形状がくの字に変形する可能性があり、細い幅の部分の断面形状が変形した状態で打ち抜かれた回転子鉄心３を積層すると、積層した時に変形した部分の軸方向に隙間が生じる。
【００７３】
この隙間の生じた状態でスリットスロットにアルミダイカストによりアルミ材を充填すると、上記軸方向隙間からアルミ材が積層された回転子鉄心３間に漏れてブリッジを生成する恐れがある。ブリッジが生成された回転子を用いて電動機を運転させると、ブリッジに不要な電流が流れることになり、誘導電動機としての特性が悪化して、非同期時のトルクによる振動および騒音が発生することがある。
【００７４】
しかしながら、本実施の形態では打ち抜く手段であるパンチ型で回転子鉄心を打ち抜く際に隣接するスリットスロットを同時に打ち抜かないように、スリットスロットを数回に分けて打ち抜き、隣接するスリットスロット間の細い幅の部分に応力が集中しないようにしているため、スリットスロットの断面の変形を極力抑えることができる。したがって、スリットスロット部にアルミ材をアルミダイカストにて充填してもアルミ材が漏れることがなく、ブリッジの生成を抑えることができるので、ブリッジに不要な電流が流れることがなく、誘導電動機としての特性が悪化せず、非同期時のトルクによる振動および騒音の発生も抑制できる。
【００７５】
以上のように、本実施の形態では、隣接するスリットスロットが同時に打ち抜かれないように非隣接スリットスロット打ち抜き手段によりスリットスロット８ｃを除いたスリットスロット８ｂとスリットスロット８ｆを同時に打ち抜いた後に、隣接スリットスロット打ち抜き手段によりスリットスロット８ｂとスリットスロット８ｆの間でスリットスロット８ｂとスリットスロット８ｆに隣接するスリットスロット８ｃを打ち抜くようにしているので、簡単な設備でありながらスリットスロット間のｑ軸方向にできる電磁鋼板の細い幅の部分に応力集中が発生せず、回転子鉄心の変形などが起こらない信頼性の高い同期誘導電動機および同期誘導電動機の製造措置が得られる。
【００７６】
また、ブリッジの生成を抑えることができるので、ブリッジに不要な電流が流れることがなく、誘導電動機としての特性が悪化せず、非同期時のトルクによる振動および騒音の発生も抑制できる高効率で低振動・低騒音な同期誘導電動機および同期誘導電動機の製造措置が得られる。また、回転子鉄心の打ち抜き精度が良好で回転子の強度も確保できる信頼性の高い回転子を得ることができる。
【００７７】
次に本実施の形態の動作についてフローチャートにて説明する。図１５は本発明の実施の形態３を表す回転子鉄心の製造フローチャート図である。図において、ＳＴ１１はシャフト用貫通穴打ち抜きステップ、ＳＴ１２は最外周スリットスロット打ち抜きステップ、ＳＴ１３は隣接するスリットスロットが同時に打ち抜かれないように隣接するスリットスロットのうちのどちらか一方を打ち抜く非隣接スリットスロット打ち抜きステップ、ＳＴ１４はスリットスロット８ｂとスリットスロット８ｆの間でスリットスロット８ｂとスリットスロット８ｆに隣接するスリットスロット８ｃを打ち抜く隣接スリットスロット打ち抜きステップ、ＳＴ１５は回転子外径打ち抜きステップである。
【００７８】
ここで、ＳＴ１１とＳＴ１２が図１４における〔Ａ〕に相当し、ＳＴ１３が図１４における〔Ｂ〕に相当する。また、ＳＴ１４が図１４における〔Ｃ〕に相当し、ＳＴ１５が図１４における〔Ｄ〕に相当している。
【００７９】
まず、ＳＴ１１にて、シャフト５が挿入されるシャフト用貫通穴８５を打ち抜く。そして、ＳＴ１２にて最も外側に設けられた一対のスリットスロット部８ａを打ち抜く。このとき、スリットスロット部８ａとシャフト用貫通穴８５は同時に打ち抜いてもよいし、別々に打ち抜いてもよい。ＳＴ１３にて、３つ隣接するスリットスロット８ｂ、８ｃ、８ｆのうち、隣接したスリットスロットが同時に打ち抜かれないようにスリットスロット８ｃを除いた一対のスリットスロット８ｂと一対のスリットスロット８ｆを同時に打ち抜く。このとき、隣接するスリットスロットが２つの場合は、２つを同時に打ち抜かないで、どちらか一方を打ち抜く。
【００８０】
そして、ＳＴ１４にて、ＳＴ１３にて打ち抜かれたスリットスロット８ｂとスリットスロット８ｆとの間のスリットスロット８ｃを打ち抜くようにしている。このように本実施の形態では、３つ隣接するスリットスロット８ｂ、８ｃ、８ｆがある場合に、まん中のスリットスロット８ｃをのぞいて両側のスリットスロット８ｂ、８ｆを先に打ち抜き、その後にまん中のスリットスロット８ｃを打ち抜くようにしており、隣接するスリットスロットが同時に打ち抜かれないようにしている。隣接するスリットスロットが２つの場合や４つ以上の場合でも、隣接するスリットスロットが同時に打ち抜かれないように打ち抜く順番を考慮すればよい。
【００８１】
そして、最後にＳＴ１５にて、回転子鉄心３の外周部８３を打ち抜き、一枚の回転子鉄心３を完成させる。このステップを順次繰り返すことにより、複数枚の回転子鉄心３を得ることができ、それらを積層してスリットスロットと軸方向の両端部に設けられるエンドリングをアルミ材などの非磁性体をダイカストにより一体に成形することにより回転子３０が得られる。
【００８２】
以上のように、本実施の形態では、隣接したスリットスリットが同時に打ち抜かれないように隣接したスリットスリットのうちのどちらか一方を打ち抜く非隣接スリットスロット打ち抜きステップと、非隣接スリットスロット打ち抜きステップにて打ち抜かれたスリットスロットと隣接するスリットスロットを打ち抜く隣接スリットスロット打ち抜きステップとを備えているので、スリットスロットの打ち抜きの順番を変更するだけの簡単な制御を行なうだけでスリットスロット間のｑ軸方向にできる回転子鉄心３のスリットスロット間の細い幅の部分に応力集中が発生せず、回転子鉄心の変形などが起こらない信頼性の高い低コストな同期誘導電動機の製造方法が得られる。
【００８３】
本実施の形態では、打ち抜き手段であるパンチ型で回転子鉄心３を打ち抜く構成について説明したが、回転子鉄心の外側に固定子鉄心を同時に打ち抜くようにしてもよい。そのようにすると、固定子鉄心と回転子鉄心が一度に打ち抜けるので、打ち抜き時間が短縮され、打ち抜き設備も簡略化でき、コスト低減が図れる。
【００８４】
【発明の効果】
本発明の請求項１に係る同期誘導電動機は、回転子に設けられ、磁束の流れやすい方向であるｄ軸および磁束の流れにくい方向であるｑ軸が略９０度となる２極の磁極突起を形成する少なくとも一対の非磁性体の導電性材料が充填されたスリット部と、前記スリット部の外周側で円周方向に略等間隔で放射状に配置されて前記スリット部のｄ軸方向の少なくとも一端に連結され、非磁性体の導電性材料が充填されて誘導トルクを発生させる複数のスロット部と、を備え、前記スリット部及び前記スロット部のうち、前記ｑ軸方向のスロット部と、このスロット部と接続するスリット部を打ち抜いた後に中心側に突出する突出部がなくなるようにまとめて１つのスリットスロット部としたので、特別な起動装置を必要とせずに起動でき、低コストな同期電動機を得ることができる。また、ｑ軸方向のスロット部４ｃ、４ｃとスリット部４ｄ（スロット部４０ｃ、４０ｃとスリット部４０ｄ）を１つのスロット部として打抜くことができるので、打抜き用の刃部の構造が簡単になり、打抜き装置が低コストで得られる。また、打ち抜いた後に中心側に突出する突出部３ｃがねじれたりすることがなくなり回転子鉄心３の打ち抜き精度が向上する。また、電動機が起動した後の同期運転への引込特性が向上し、安定して同期回転数で運転させることができ、高効率な電動機を得ることができる。
【００８５】
また、本発明の請求項２に係る同期誘導電動機は、スリット部を略直線状としたので、磁束が通りやすくなり、高効率な電動機を得ることができる。
【００８６】
また、本発明の請求項３に係る同期誘導電動機は、スリット部をｄ軸に対して略平行となるように配置したので、磁束が通りやすくなり、電動機の温度上昇を抑制することができ、巻き線焼損などの発生しない信頼性の高い電動機が得られる。
【００８７】
また、本発明の請求項４に係る同期誘導電動機は、前記ｑ軸方向の磁性体と非磁性体との比率を所定の比率に設定したので、電動機効率が良くなる。
【００８８】
また、本発明の請求項５に係る同期誘導電動機は、スリット部とスロット部を分離したので、スリット部とスロット部に別々の充填部材を充填できるため、充填部材の選択の自由度が広がり、コスト低減が行なえ、さらに、電動機の特性上の自由度も増すことができる。
【００８９】
また、本発明の請求項６に係る同期誘導電動機は、回転子の軸方向両端部に設けられるエンドリングをスリット部及びスロット部内に充填される導電性材料と一体にダイカストにより成形した回転子を備えたので、構造面で強度が向上し、信頼性の優れた電動機を得ることができる。
【００９０】
また、本発明の請求項７に係る同期誘導電動機は、回転子に設けられ、回転子の回転力を伝達するシャフトを備え、シャフトを非磁性体で構成したので、打ち抜きによる回転子鉄心の変形や回転子の強度も確保できる。また、シャフトを保持する部分の幅も大きくできるので、シャフトの保持強度も向上し、運転中にシャフトが回転子からはずれたりすることもなくなり信頼性が高く高効率な同期誘導電動機が得られる。
【００９１】
また、本発明の請求項８に係る同期誘導電動機は、回転子の軸方向両端部に非磁性体で構成されたエンドリングを備え、エンドリングにシャフトを一体に成形したので、磁束の流れにくい方向であるｑ軸方向の磁性体と非磁性体の比率を所定の比率に設定でき、高効率の電動機を得ることができる。
【００９２】
また、本発明の請求項９に係る圧縮機は、請求項１乃至請求項８のいずれかに記載の同期誘導電動機を備えたので、大掛かりな起動装置を必要とせず、また、起動から同期回転数への引込みまでの時間が短く性能が良好であり、低振動・低騒音な圧縮機を得ることができる。
【００９３】
また、本発明の請求項１０に係る同期誘導電動機の製造方法は、誘導トルクを発生させるスロット部と略直線状でｑ軸方向に隣接配置されてリラクタンストルクを発生させるスリット部とを接続して構成された複数のスリットスロットのうち隣接したスリットスロット間の幅の部分に応力が集中して強度が弱くなり断面形状が変形しないように隣接しないスリットスロットを打ち抜く非隣接スリット打ち抜きステップと、前記非隣接スリットスロット打ち抜きステップにて打ち抜かれた非隣接スリットスロット間に存在するスリットスロットを打ち抜く隣接スリットスロット打ち抜きステップと、回転子鉄心の外径を打ち抜く回転子外径打ち抜きステップと、によって打ち抜かれる回転子鉄心を備えたので、スリットスロットの打ち抜きの順番を変更するだけの簡単な制御を行なうだけでスリットスロット間のｑ軸方向にできる回転子鉄心のスリットスロット間の細い幅の部分に応力集中が発生せず、回転子鉄心の変形などが起こらない信頼性の高い低コストな同期誘導電動機の製造方法が得られる。また、スリットスロット部にアルミ材をアルミダイカストにて充填してもアルミ材が漏れることなく、ブリッジの生成を抑えることができるので、ブリッジに不要な電流が流れることがなく、誘導電動機としての特性が悪化せず、非同期時のトルクによる振動および騒音の発生も抑制できる。
【図面の簡単な説明】
【図１】  本発明の実施の形態１を表す同期誘導電動機の横断面図である。
【図２】  本発明の実施の形態１を表す回転子の断面図である。
【図３】  本発明の実施の形態１を表す同期誘導電動機の回転子の斜視図である。
【図４】  本発明の実施の形態１を表す同期誘導電動機の別の回転子の断面図である。
【図５】  本発明の実施の形態１を表す同期誘導電動機の別の回転子の断面図である。
【図６】  本発明の実施の形態１を表す別の回転子の断面図である。
【図７】  本発明の実施の形態１を表す別の回転子の断面図である。
【図８】  本発明の実施の形態１を表す別の回転子の断面図である。
【図９】  本発明の実施の形態１を表す別の回転子の断面図である。
【図１０】  本発明の実施の形態２を表す同期誘導電動機の回転子の断面図である。
【図１１】  磁性体と非磁性体の幅について説明するための回転子の断面図である。
【図１２】  本発明の実施の形態２を表す回転子の斜視図である。
【図１３】  本発明の実施の形態２を表す回転子の断面図である。
【図１４】  本発明の実施の形態３を表す回転子の製造の様子を示す図である。
【図１５】  本発明の実施の形態３を表す回転子鉄心の製造フローチャート図である。
【図１６】  従来の電動機の断面図である。
【図１７】  従来の同期電動機の回転子の断面図である。
【符号の説明】
１  固定子鉄心、１ａ  スロット、２  巻線、３  回転子鉄心、３ｃ  突出部、４  スリットスロット、４ａ  スリット、４ｂ、４ｃ  スロット、４ｄ  スリット、４ｅ  スリットスロット、５  シャフト、６  エンドリング、８  電磁鋼板、８ａ、８ｂ、８ｃ、８ｆ  スリットスロット、１１  回転子、１３  スリット、２０  固定子、４０ａ  スリット、４０ｂ、４０ｃ  スロット、４０ｄ  スリット、４０ｅ  スリットスロット、４１  スロット、４２  スリットスロット、４２ａ  スリット部、４２ｂ  スロット部、４３、４４  スリットスロット、５０  シャフト、５５  エンドリング、５５ａ  シャフト、８３  回転子鉄心、８５  シャフト用貫通穴、１０５  回転子、３００ａ、３００ｂ  永久磁石、３０１  アルミ、３０４  スロット。
【図１】
0003743348.tif 000002
【図２】
0003743348.tif 000003
【図３】
0003743348.tif 000004
【図４】
0003743348.tif 000005
【図５】
0003743348.tif 000006
【図６】
0003743348.tif 000007
【図７】
0003743348.tif 000008
【図８】
0003743348.tif 000009
【図９】
0003743348.tif 000010
【図１０】
0003743348.tif 000011
【図１１】
0003743348.tif 000012
【図１２】
0003743348.tif 000013
【図１３】
0003743348.tif 000014
【図１４】
0003743348.tif 000015
【図１５】
0003743348.tif 000016
【図１６】
0003743348.tif 000017
【図１７】
0003743348.tif 000018